(57)【特許請求の範囲】
【請求項１】
２つの駆動輪（１，２）を有する１つの無段階変速機に使用するための駆動ベルト（３）であって、前記駆動ベルト（３）は前記２つの駆動輪（１，２）の間に保持され、多数の横要素（１６）を載せた２つの連続キャリア（４）を備え、前記横要素（１６）は、少なくともキャリア（４）の周方向に自由に移動することができ、前記キャリア（４）は、幅方向でスロット状切り欠き部の間にウェブ部分（７）を有する横要素（１６）の２つの前記切り欠き部に配置され、前記ウェブ部分（７）の上には、２つの部分または耳部（８）を備える頭部があり、其々の前記耳部（８）は前記幅方向で前記ウェブ部分（７）を超えて、其々の前記切り欠き部の上部に伸長し、前記ウェブ部分（７）の下には、前記横要素（１６）の足部があり、前記横要素（１６）はさらに、相互に接触するように意図された主要面を備え、前記主要面（１６）の他の部分より厚い３つの独立した接触領域（１４，１５）が、前記主要面のうちの少なくとも１つの面上で画定され、前記接触領域（１４，１５）を介して、隣接する横要素（１６）間で幾何学的に画定された安定した接触が可能であり、ここにおいて、第１のまたは頂部の接触領域（１４）は、前記頭部に配置されまた、前記幅方向から見て前記横要素（１６）の中心に位置し、残りの２つのまたは底部の接触領域（１５）は、少なくとも実質的に前記足部に配置され、また前記幅方向に見て、それぞれが実質的にそれぞれの前記横要素（１６）の軸方向に面する側面（５）の端から伸長し、
前記頂部の接触領域（１４）は、幅方向で見て、前記耳部（８）の間に位置し、前記ウェブ部分（７）を超えて前記耳部（８）の領域には位置しないことを特徴とする駆動ベルト（３）。
【請求項２】
前記頂部の接触領域（１４）の位置における前記横要素（１６）の厚さが、２つの底部の接触領域（１５）の位置における厚さより大きいことを特徴とする、請求項１に記載の駆動ベルト（３）。
【請求項３】
前記接触領域（１４，１５）の位置と、前記他の部分の位置とにおける前記横要素（１６）の厚さの差が、１０〜２００マイクロメートルの範囲内であることを特徴とする、請求項１または２に記載の駆動ベルト（３）。
【請求項４】
前記横要素（１６）は前記頭部において、前記主要面から突出するボス（６）を有し、前記頂部の接触領域（１４）は、前記ボス（６）を囲むことを特徴とする、請求項１―３のいずれかに記載の駆動ベルト（３）。
【請求項５】
前記横要素（１６）は前記頭部において、前記主要面から突出するボス（６）を有し、前記頂部の接触領域（１４）は、その全てが、垂直方向で前記ボス（６）の上方に位置することを特徴とする、請求項１―３のいずれかに記載の駆動ベルト（３）。
【請求項６】
前記頂部の接触領域（１４）は、幅方向で見て、前記ウェブ部分（７）の幅の分だけ拡がることを特徴とする、請求項１―５のいずれかに記載の駆動ベルト（３）。
【請求項７】
前記２つの底部の接触領域（１５）が、幅方向でそれぞれキャリア（４）の幅の半分より長いことを特徴とする、請求項１―６のいずれかに記載の駆動ベルト（３）。
【請求項８】
前記２つの底部の接触領域（１５）が、少なくとも前記ウェブ部分（７）の幅の分だけ互いに分離されることを特徴とする、請求項１―７のいずれかに記載の駆動ベルト（３）。
【請求項９】
前記耳部（８）の前記幅方向および前記周方向に垂直な方向の寸法が、前記横要素（１６）の前記周方向の寸法の１．５倍以下であることを特徴とする、請求項１―８のいずれかに記載の駆動ベルト（３）。
【発明の詳細な説明】
【技術分野】
【０００１】
本発明は、請求項１の前文記載の駆動ベルトに関する。
【背景技術】
【０００２】
このタイプの駆動ベルトは一般に周知である。一例が、１９８６年１０月３０日出願の日本特許出願第２６０２０６／１９８６号で形成されている。この例では、それ自身周知である駆動ベルトは、上記文書でも横要素として言及されている横要素を備え、接触するように設計されたその主要面は、最小増厚部分を組み込んでいる。増厚部分は、横要素の相互に対する適正な支承を推進し、その生産性を改善する。横要素に意図された厚さ、すなわち駆動ベルトの周方向で主要面に直角に見た横要素の寸法に対して、厚さの変動が比較的些少な横要素の場合、このタイプの複数の横要素で見て、駆動ベルトが意図されたほぼ直線の線から偏差する状況が生じることがある。一般的な用語にすると、駆動ベルトは、変速機の一組の駆動輪に使用されると、第１の駆動輪から第２の駆動輪へと遷移する時に傾斜して、望ましくない程度または望ましくない方向に湾曲した路に適用する。この性質の偏差は好ましくない。何故なら、駆動ベルトが駆動輪によって強制的に直線路になるからであり、これにより材料の内部応力が生じ、したがってベルトの使用寿命に悪影響を及ぼす。上記概略した現象は、本文書では駆動ベルトの直進安定性とも呼ぶ。
【０００３】
横要素の厚さの偏差の危険性は、既に生産中でも多数の措置によって制限され、この特性も厳密に監視される。特に、２つの横要素間の接触領域数を制限するために（接触領域が厚さを決定する）、または厚さの偏差のチェックを容易にするために、例えば上述した日本の特許文書のように、少なくとも１つの主要面には、制限された数の増厚部分しか形成しなかった。この例では、増厚部分または接触領域は、横要素の頭部、すなわち半径方向で横要素のベルト・コード・アセンブリより先まで突出する部分に、横要素のウェブ部分、すなわち２つのベルト・コード・アセンブリの間に位置する部分に、および横要素の脚部、すなわち半径方向で横要素のベルト・コード・アセンブリの内側に位置する部分に配置される。この例では、合計で５つの接触領域が存在する。厚さがチェックされている接触領域の数がなお多数である事実に加えて、この構成は技術的にも最適ではない。何故なら、２つの物体間の接触は、原則的に既に３つの支承点で画定されているからである。後者の考察に基づいて改善されている横要素および駆動ベルトの一例が、比較的最近の欧州特許出願第１０６１２８５号で与えられている。さらなる一例が、欧州特許公報第０２７８５４５号から知られる。
【特許文献１】日本特許出願第２６０２０６／１９８６号
【特許文献２】欧州特許出願第１０６１２８５号
【特許文献３】欧州特許公報第０２７８５４５号
【発明の開示】
【０００４】
この周知の例からの措置を使用して、比較的単純な方法で直進安定性を向上させることができるが、横要素のさらなる改善または修正が望ましく、特に駆動ベルトの最適機能および本明細書で使用する横要素の有利な製造を鑑みると望ましい。
【０００５】
本発明によれば、この性質の改善は、請求項１の特徴付け部分からの方法を使用することによって達成される。
隣接する横要素間に規定された接点を有する設計、すなわち、２つの増厚部分または接触領域、すなわち相対的に高い位置にある接触部分を横要素、を足部に有し、横要素の頭部に第３の接触領域を有する３点支持を使用することにより、駆動ベルトが変速機の駆動輪の間に挟まれた時、すなわち横要素を制御する駆動輪との接触が横要素の３つの接触領域のうち２つの周囲で有利に生じた時から、横要素の直進安定性が、したがって稼働中の駆動ベルトの直進安定性が保証される。この方法は、接触領域の位置における横要素間の力と、駆動輪による挟みこみおよび駆動による力との合成力が、既知の設計の駆動輪と比較して、有利に減少した結果として、横要素に比較的大きい内部応力が生じるのを防止する。これにより、特に、直進安定性を確保するために生成されていた力が減少し、それによって横要素の内部応力も減少する。本発明による設計をさらに改善する観点から、前記合成力を最小にするため、足部にある２つの接触領域をそれぞれ、横要素の軸方向接触面に隣接するように配置しなければならない。さらに、駆動輪間を移動中に横要素の比較的軟質の頭部に作用する負荷も減少する。何故なら、３つの接触領域のうち１つしか頭部にはなく、さらにこの接触領域が、軸方向に自由に、すなわちウェブ部分より先まで延び、横要素の耳部とも呼ばれ、横要素の他の部分に対して比較的容易に屈曲するか、さらには破断することができる、頭部の端部ではなく、中心および首部の近傍に位置するからである。本発明の方法によって、横要素の設計において様々な他の構造的利点を採用することができ、したがってこれらはまた、本発明の一部として特定の実施形態として組み込まれる。
【０００６】
本発明による設計はまた、比較的容易で特定の利点を有する独創的で新規の打抜き方法を使用して実行できるため優位である。この新しい技術によれば、材料の変位によって横要素の接触領域以外の場所を薄くするか、打抜き中に所謂収縮効果を特別に利用することにより、接触領域を生成する。打抜き方法の一提案例では、比較的単純な設計が要求される打抜き装置の例で、中心に隆起した部分を有し残りは平坦で、中心部分と周囲は接続され一体化されている作業面を少なくとも設ける方法である。
【０００７】
本発明との組み合わせで組み込むことができる特別な措置は、横要素のウェブ部分、すなわちベルト・コード・アセンブリの軸方向切り取り部間の部分が、相対的に薄くした設計であるか、耳が、少なくとも横要素の垂直方向で見て、すなわち足部から頭部の方向で見て、より小さい設計であることから、横要素の重量を削減できることである。これは全て、新規の設計では応力に対するウェブおよび耳の感度を大幅に低下させることから、現在では可能である。さらに、相対的に薄くした部分は、３点支承を決定することに寄与し、耳を相対的に薄くすると、横要素の形成中に不合格になり易さを低下させることにも寄与する。
特に、後者の効果に関して、これは、横要素の頭部が既にウェブ部分または足部に対してわずかに捻れた位置にある場合、または２つの横要素の間に接触がある場合に、耳の一方端が受ける悪影響を低下させるという意味である。生産中に横要素を加熱および冷却する必要がある結果、この性質の捻れ効果がわずかな程度生じることがある。新規の設計の耳は、駆動ベルトの周方向に支持機能をほとんど有さないので、その結果、横要素に比較的大きい設計の自由度が生じ、これは本発明では、従属請求項で提示した措置により活用される。
【発明を実施するための最良の形態】
【０００８】
以下のテキストでは、図面を参照して実施例により本発明をさらに詳細に説明する。
図１は、本発明による駆動ベルトを使用する部分的に切り取られた変速機の斜視図を示す。
図２は、主要面の輪郭を表す本発明による横要素の前面図を組み込んだ、駆動ベルトの周方向の断面図を示し、横要素の側面図も示す。
図３は、横要素の生産に使用する既知の打抜き装置を概略的に示す。
図４は、本発明による横要素の形成に使用することができる打抜き機械のエジェクタとして知られるものを示す。
図５は、本発明による横要素を生産する打抜きプロセスを概略的に示し、その収縮効果が本発明に使用される。
図６および図７は、本発明による横要素の第２および第３の実施形態の図２に対応する前面図を示す。
図８は、薄くした耳がない場合とある場合の横要素の捻れ効果を示す。
図９は、本発明による横要素の第４の実施形態の図２に対応する前面図を示す。
【０００９】
図１は、例えば乗用車などを駆動する無段階変速機の中心部分を示す。変速機は一般的に周知であり、少なくとも第１および第２の対のディスク、すなわち駆動輪１、２、および駆動輪１および２のディスク間に収容された駆動ベルト３を備える。駆動輪１、２のディスクは同心円上に形成され、少なくとも１つのディスクは、対応する駆動輪１、２の車軸に沿って軸方向に変位できるような方法で配置される。そのために、電子的に制御可能な液圧作動の変位手段が一般的に変速機に含まれるが、このような手段は図には図示されていない。このような変位手段を起動すると、個々のディスクが軸方向に変位し、したがって駆動輪１と２のディスク間で駆動ベルト３の位置が半径方向に調節される。駆動輪１、２の駆動力は、ディスクと駆動ベルト３の間の円錐形接触面の摩擦によって伝達される。この例では、駆動ベルト３および駆動輪１、２は両方とも金属から作成される。
【００１０】
図２は、図１に示した駆動ベルト３の周方向の断面図を示し、本発明による第１の実施形態の横要素１６の前面図を含む。駆動ベルト３は、また２つの連続キャリア４も備え、これはそれぞれ一組の入れ子状の平坦な金属リングを備え、横要素１６を担持し、それにより駆動ベルト３と駆動輪１、２との間に発生する力の半径方向成分を吸収することができる。横要素１６は、キャリア４に対して周方向に自由に移動できるような方法で、駆動ベルト３に組み込まれる。この図で示す図は、相互に対して意図された位置および方向で収容されたキャリア４を通る断面図を示す。図２の右側部分は、横要素１６の側面図、すなわち駆動ベルトの幅方向または軸方向で見た図を示す。
【００１１】
図２は、また駆動輪１および２と接触するために横要素１６の底または足部にある２つの軸方向に配向された側面５と、横要素１６の頂部または頭部にある突出ボス６と、キャリア４の間にある横要素１６の中央またはウェブ部分７と、キャリア４上で軸方向に延びる頭部の側部または耳８と、いわゆる傾斜線９とを示し、その下で横要素１６は厚さが減少し、この場合はテーパ状面１０を介して厚さが徐々に減少する。言及した側面図は、切り欠き部１１も示し、ここには隣接する横要素１６のボス６を収容することができる。
キャリア４は、横要素１６のスロット状切り欠き部に収容され、この切り欠き部は、少なくとも横要素１６の足部、ウェブ部分７および耳８によって画定される。したがって、耳８の主な機能は、垂直方向または駆動ベルトの半径方向でキャリア４の動作の自由を制限することでもある。この機能を首尾よく実行するために、耳８はキャリア４の中心へと軸方向に最低限だけ延びる。
【００１２】
さらに、本発明による横要素１６には、いわゆる接触領域１４、１５が設計され、これらは斜線入りの形状で図示され、それぞれ相対的な意味で横要素１６の他の部分より隆起している連続面、すなわち横要素１６の厚さが局所的にわずかに大きい部分によって形成される。この状況では、頭部の頂部接触領域１４位置の厚さが、足部の底部接触領域１５位置の厚さよりわずかだけ大きいと有利である。したがって、接触領域１４および１５は、駆動ベルト３において横要素１６が常に相互に対して小さい角度ではあるが、ある角度で配向され、これは使用中に有利かつ安定した駆動ベルトの構成になることを保証する。頂部接触領域１４は、好ましくはボス６の周囲に延在し、好ましくはそこから特定の距離で開始し、垂直方向には好ましくはほぼ耳８の下側から横要素１６の頂縁まで、および幅方向には好ましくは少なくともほぼウェブ部分７の全幅にわたって延びる。底部接触領域１５はそれぞれ、幅方向には好ましくはほぼ横要素１６の軸方向の側面５にある一方縁から、好ましくはスロット状切り欠き部の軸方向寸法の半分にわたり、垂直方向には好ましくはほぼ傾斜線９から横要素１６のスロット状切り欠き部がある縁まで延びる。本発明によると、底部接触領域１５は、幅方向には横要素１６の側部に向かって可能な限り延在し、これは横要素１６間の安定した接触につながり、さらにこれらの領域１５の厚さを連続的に制御することが可能になるので有利である。全ての場合で、接触領域１４および１５は、横要素１６を形成するプロセス中に、その材料を相対的に薄くするか、変位するか、収縮することによって形成することが好ましい。
【００１３】
本発明によると、接触領域１４および１５を上述した形状で形成する方法は、駆動ベルト３の最適な機能のために非常に重要である。３つの接触領域１４および１５を使用することにより、駆動ベルト３の隣接する横要素１６間に、厳密に画定され、安定した接触が形成されることが保証され、その結果、使用中に駆動ベルトは有利な方法で、すなわち意図された軌道に沿って、望ましくないほど高い内部応力がない状態で、駆動輪１と２間の遷移を実行することができる。さらに、接触領域１４および１５は、比較的単純な方法で、非常に厳密な公差で横要素１６の正確な厚さを制御し、監視できることを保証する。何故なら、一方では、厚さのこのような制御および監視は、横要素１６の主要面の全表面のうち比較的小さい部分、特に接触領域１４および１５にしか影響を及ぼさず、他方で、接触領域１４および１５は、打抜きプロセスで他の位置の材料を変位または収縮させることによって形成することができ、したがって連結部を打ち抜く元となり、正確にチェックして、制御しなければならず、そのような状態で、材料の必要な圧延の結果として自動的に生じる基本的材料の厚さは、接触領域１４および１５位置における厚さに対応するからである。後者の形成方法の主要な利点は、打抜き中に局所的に増厚した部分を形成しなくてもよいことであり、これは原則的に、苦もなく所望の厚さにすることができない。すなわち、多量のスクラップが生じるか、再加工プロセスが必要になり、ここで横要素１６を少なくとも厚さの方向で正確に適正なサイズにする。すなわち適切に校正する。したがって、本発明による打抜きプロセスは、特定の位置で、この場合は接触領域１４および１５で既存の厚さを維持することも意図する。
【００１４】
図３は、細片形状の母材２５から横要素１６を形成するために使用するような既知の打抜き装置を断面図で示す。図では、母材２５から切り取られている横要素１６、例えば耳８の部分２０を、断面図で見ることができる。そのために、母材を打抜き装置の締め付け部分２１、２２の間、すなわち打抜き装置の案内プレート２２と打抜き型２１との間で締め付けてある。部分２０を含む形成すべき横要素１６は、この場合はパンチ２３とエジェクタ２４の間に締め付けられる。エジェクタ２４が横要素１６を押す力は、パンチ２３のそれより小さく、したがってパンチ２３、エジェクタ２４および横要素１６を含むアセンブリは、横要素１６が打抜き型２１の縁部によって母材２５から切り取られるような方法で、締め付け部分２１、２２に対して下方向に移動する。パンチ２３と打抜き型２１との間には、切削ギャップとしても知られる特定の遊びを使用することが知られている。これは、横要素１６をうまく切り取るために必要である。この打抜き装置および打抜きプロセスの配置構成は、それ自身周知である。
【００１５】
既知の打抜きプロセスとは別に、本発明は、横要素１６の他の部分を変位させることによって、打抜き中に横要素に接触領域１４および１５を形成することを提案し、この動作中に、変位すべき材料は、例えば横要素１６の縁部に向かって、またはテーパ状面１０に向かって流れる。本発明によると、この材料変位は、エジェクタ２４を使用して達成することができ、これは概略斜視図で示されている。形成すべき横要素１６に向かって配向されたエジェクタ２４の作業面２６は、この目的のために、変位すべき横要素の部分の位置に設けられ、隆起した作業面部分２７および２８がある。既に述べたように、この方法は、特に横要素１６の厚さの正確さおよび制御性に関する大きい利点を有する。したがって、本発明の一態様の場合には、横要素１６の接触領域１４および１５が、基本的に、形成プロセス中に横要素１６の主要面に隣接する領域で、母材を変位させることによって形成される。
【００１６】
本発明のさらなる実施形態では、既知の打抜きプロセスで生じるような収縮効果として知られているものを、予想外の有利な方法で使用する。この収縮効果は、図５の左側部分に図示され、打抜き中に打ち抜かれる製品、この場合は横要素１６および特にその前記部分２０のエジェクタ２４側に、丸まるか収縮する縁部２９を自然に形成することに関する。さらに、図５の右側部分は、前記部分２０が十分に細いか、低い場合、そのいずれかの側にある縁部２９の丸まりが、開始材料の厚さの局所的減少が生じるような方法で、相互に重なることを示す。すなわち、打抜き中に、横要素の十分に広い、または高い部分２０の名目厚さＤ０は、母材２５の厚さに対して変化しないままであるが、十分に細い、または低い部分２０の厚さＤ１は、収縮効果の結果として減少する。本発明により主張される経験則によると、厚さの前記減少は、前記部分の幅または高さ寸法がその厚さの約１．５倍より小さい場合に生じる。
【００１７】
収縮効果を利用する本発明の上述したさらに詳細な実施形態では、断面で見て、その縁部２９の前記丸まりが実際に相互に重なるような方法で、耳８の高さが既知の横要素１６の耳８と比較して減少する。図６および図７は、本発明による横要素の第２および第３の実施形態を示し、ここで耳８は、特に耳８の厚さが、上述した収縮効果の結果として、その軸方向または幅寸法８の大きい割合に渡って減少するような方法で、既知の横要素１６と比較すると低く設計される。これは、接触領域１４を幅方向で頂部接触領域１４の範囲を決定し、斜線の接触領域１４および１５を有する図は、材料の名目厚さが不変のままである横要素１６のこれらの部分を示す。横要素１６のこの実施形態は、駆動ベルト３の性能に有利な効果を及ぼす。何故なら、比較的小さい耳８のために、ベルト３の質量が減少するからである。
【００１８】
横要素１６に比較的低い耳８を設計した本発明のこのさらに詳細な実施形態によると、これらの耳は、接続され、中心に配置された１つだけの隆起作業面部分２８を設けることが有利であるエジェクタ２４の助けによって打ち抜くことができ、これはその実現性および費用にとって有利である。これで、作業面部分２８は、垂直方向に頂部接触領域１４を制限するための決定要素となり、この制限はこの場合、耳８の下側とほぼ同じ高さに配置することが有利であり、幅方向では２つの底部接触領域１５を制限する決定要素でもある。垂直方向では、２つの底部接触領域１５の制限は、この場合、付随的に足部のテーパ状面１０への遷移部を形成する傾斜線９によって画定される。
【００１９】
図７に示した横要素の実施形態では、ウェブ部分７に、足部の方向でテーパ状になる形状を設け、したがって、ボス６を下降するため、すなわちさらにウェブ部分７に向かって配置するための空間を生成する。このタイプの設計によって、頭部を小型化することができ、特により平坦な上部輪郭１９を設けることができる。その結果、本発明による低い高さを設けた耳８は、図６と図７を比較すると明白であるように、頭部の中心部分に最適に隣接する。この性質の設計では、幅方向における頭部の高さ曲線を大幅に低下させることができ、これはその形成にとって有利であり、さらに、横要素１６および駆動ベルト３の質量をさらに減少させる。
【００２０】
図では、頂部接触領域１４の下限は、耳８の下側とほぼ同じ高さにあるが、前記下限は、より高いレベル、例えばボス６の高さまたはさらに上に配置することが好ましい。後者の形体は、図９で示した横要素１６で図示され、エジェクタ２４の前記隆起作業面部分２８を、例えば、この部分２８がウェブ部分７全体にわたって、またはさらに部分的に頭部までも延びるような方法で、それに相当するように大型化して設計することによって達成することができる。前記利点は、さらに離した底部接触領域１５と頂部接触領域１４を垂直方向に配置し、２つの領域１４または１５のうち一方の位置における厚さの所与の絶対偏差が、駆動ベルト３において相互に対する２つの隣接する横要素１６の最終的位置への影響が小さくなるという幾何学的に定義された特性から生じる。すなわち、厚さの許容公差が大きくなり、接触領域１４と１５が相互からさらに離れる。したがって、好ましい実施形態では、前記頂部接触領域１４は、ボス６の完全に上に、すなわちそこから半径方向外側に位置し、その間には半径方向に多少の空間１７を設けることが好ましい。これにより、頂部接触領域１４は、打抜きプロセス中のボス６の形成によって、例えば部分的に隆起するなどの妨害を受けない。
【００２１】
図８は、本発明による横要素１６、少なくとも耳８の大きい部分で生じる薄肉化、およびその結果の頂部接触領域１４の形成を平面図で示す。図８は、前記薄肉化の追加的な好ましい効果も示す。既知の横要素１６が、図の上部に図示されている。このタイプの要素では、図で示すように、頭部が足部に対してわずかに捻れた位置に不必要に適用することが知られている。これは恐らく、横要素１６に使用する製造プロセスの、特に材料の硬化に使用する焼き入れプロセスなどの、そのプロセスの熱処理の結果である。この性質の捻れ効果が生じる程度は、横要素１６によって大きく変動し得ることが判明している。駆動ベルト３の使用中に、横要素１６は、少なくともその足部によって相互にしっかり押しつけられる。すなわち周方向におけるその間の距離Ａ１が零になり、したがって横要素１６の隣接する対の頭部が異なる程度の捻れ効果を有する場合は、このように相互に押しつけることができるように、この頭部に回転Ｍ１を適用する。この回転Ｍ１に必要な力Ｆは、耳８の端部３０から生じる。ここが、隣接する横要素１６間の第１の接触部が形成される場所だからである。この力Ｆにより、横要素１６、特にその耳８およびウェブ部分７に望ましくない、さらには変動する応力が生じ、この応力は、頭部が破損して、横要素１６またはその耳８から永久的に離れる結果、駆動ベルト３の使用寿命に悪影響を及ぼすことがある。
【００２２】
図８の下部分から、本発明による横要素１６の耳８の端部が、収縮効果の結果として薄肉化しているので、前記第１の接触が生じる位置３１が、横要素１６の軸方向中心に向かって大きくシフトし、したがって捻れ効果が同じ程度である場合は、横要素間の距離Ａ２と、加える回転Ｍ２との両方、したがって応力も、非常に、かつ有利に低下することが分かる。この方法で、本発明により成形した耳８は、駆動ベルトの使用寿命にも好ましい効果を有する。また、この文脈で、この好ましい効果が、本発明による３点支承の使用とは別にしても有利であることに留意されたい。
上述したものに加え、本発明は、図面の詳細の全て、および請求の範囲の記述にも関する。
【図面の簡単な説明】
【００２３】
【図１】本発明による駆動ベルトを使用する部分的に切り取られた変速機の斜視図を示す。
【図２】主要面の輪郭を表す本発明による横要素の前面図を組み込んだ、駆動ベルトの周方向の断面図を示し、横要素の側面図も示す。
【図３】横要素の生産に使用する既知の打抜き装置を概略的に示す。
【図４】本発明による横要素の形成に使用することができる打抜き機械のエジェクタとして知られるものを示す。
【図５】本発明による横要素を生産する打抜きプロセスを概略的に示し、その収縮効果が本発明に使用される。
【図６】本発明による横要素の第２の実施形態の図２に対応する前面図を示す。
【図７】本発明による横要素の第３の実施形態の図２に対応する前面図を示す。
【図８】薄くした耳がない場合とある場合の横要素の捻れ効果を示す。
【図９】本発明による横要素の第４の実施形態の図２に対応する前面図を示す。
【符号の説明】
【００２４】
１、２  駆動輪            ３  駆動ベルト
４  連続キャリア          ５  側面      
６  突出ボス              ７  ウェブ部分
８  耳                    １４，１５  接触領域  １６  横要素
【図１】
0004593281.tif 000002
【図２】
0004593281.tif 000003
【図３】
0004593281.tif 000004
【図４】
0004593281.tif 000005
【図５】
0004593281.tif 000006
【図６】
0004593281.tif 000007
【図７】
0004593281.tif 000008
【図８】
0004593281.tif 000009
【図９】
0004593281.tif 000010